(57)【要約】【課題】電気掃除機用照明を掃除の環境に応じて自動的に切り替え制御できる電気掃除機を提供する。【解決手段】電気掃除機において、被掃除面を照射するために吸口体２０６に設けられた照明ランプ１１２−１１４と、延長管２０５に対する吸口体２０６の相対的な方向の変化に応じて照明ランプの点灯、消灯を自動に切り替え制御するスイッチ回路と、を備える。【選択図】図１
2008212195.tif 000002
【特許請求の範囲】
【請求項１】
電動送風機と集塵部とを有する掃除機本体と、前記掃除機本体の集塵部にホース及び延長管を介して連通する吸口体とを備え、前記吸口体は前記延長管に自在継手を介して接続される電気掃除機において、
被掃除面を照射するために前記吸口体に設けられた照明ランプと、
前記延長管に対する前記吸口体の相対的な方向の変化に応じて前記照明ランプの点灯、消灯を自動に切り替え制御するスイッチ回路と、
を備えたことを特徴とする電気掃除機。
【請求項２】
請求項１において、
前記延長管と前記ホースとの間には、前記延長管及び前記自在継手を介して前記吸口体を操作する手元操作部が設けられ、この手元操作部の捻りに応じて前記吸口体の向きが進行方向に対して変えられるように構成され、
前記照明ランプは、前記吸口体の正面前方の被掃除面を照射する第１の照明ランプと前記吸口体の側方の被掃除面を照射する第２の照明ランプとよりなり、
前記スイッチ回路は、前記吸口体の正面が該吸口体の移動方向に向いている時には、前記第１の照明ランプを点灯させ、前記吸口体の正面が該吸口体の移動方向に対して横を向いている時には、前記第２の照明ランプを点灯させる電気掃除機。
【請求項３】
請求項２において、
前記第２の照明ランプは、前記吸口体の長手方向に左右に分けて配置されたランプよりなり、
前記スイッチ回路は、前記吸口体の正面が該吸口体の移動方向に対して横を向いている時には、この左右配置のランプを同時に点灯させる電気掃除機。
【請求項４】
請求項２において、
前記第２の照明ランプは、前記吸口体の長手方向に左右に分けて配置されたランプよりなり、
前記スイッチ回路は、前記吸口体の正面が該吸口体の移動方向に対して左横向き或いは右横向きになっている時には、その向きに応じて、前記左右配置のランプのうち手元操作部から遠ざかる方のランプを択一的に点灯させる電気掃除機。
【請求項５】
請求項１において、
前記延長管は前記自在継手を介して前記吸口体に対して上下方向に傾斜角度を変えることができ、
前記スイッチ回路は、前記延長管の上下方向の傾斜角度が前記吸口体に対して略水平状態から所定の角度の範囲内にある時に前記照明ランプを点灯させる電気掃除機。
【請求項６】
請求項２において、
前記延長管が前記自在継手を介して前記吸口体に対して上下方向に傾斜角度を変えることができ、
前記スイッチ回路は、前記延長管の上下方向の傾斜角度が前記吸口体に対して略水平状態から所定の角度の範囲内にあり、且つ前記吸口体の正面が該吸口体の移動方向に向いている時に前記第１の照明ランプを点灯させる電気掃除機。
【請求項７】
請求項１ないし６のいずれか１項において、
前記自在継手には、前記吸口体と前記延長管との相対的な方向の変化を検知する手段が設けられ、この検知手段を介して前記スイッチ回路が作動する電気掃除機。
【請求項８】
請求項２ないし４のいずれか１項において、
前記吸口体には、前記吸口体の移動方向に対する該吸口体の向きの変化を検知する手段が設けられ、この検知手段を介して前記スイッチ回路が作動する電気掃除機。
【請求項９】
請求項１ないし８のいずれか１項において、
前記スイッチ回路は、遅延回路を介して動作するように設定されている電気掃除機。
【請求項１０】
電動送風機と集塵部とを有する掃除機本体と、前記掃除機本体の集塵部にホース及び延長管を介して連通する吸口体とを備え、前記吸口体は前記延長管に自在継手を介して接続される電気掃除機において、
前記吸口体に、被掃除面に対して異なる照射角度で照明する複数の照明ランプを設けたことを特徴とする電気掃除機。
【発明の詳細な説明】
【技術分野】
【０００１】
本発明は、照明機能を有する吸口体を備えた電気掃除機に関する。
【背景技術】
【０００２】
従来、照明機能を有する電気掃除機には、照明ランプを電機掃除機の吸口部に設置しているものと掃除機の吸引ホースと接続された延長管に設置しているものがある。
【０００３】
例えば特開平５―２４５０８４号公報に記載の電気掃除機では、吸口体上方に照明ランプを内蔵し、ランプの周囲に反射板を設け、照明光を放射する窓を配設して、床ノズル（吸口体）の前面、回転ブラシ等必要な箇所のみ照明するものが提案されている。
【０００４】
また、実公平５―３４６２５号公報の電気掃除機では、延長管に照明灯を設けており、延長管における照明灯の取付け位置を変更して照明範囲を調整したり、吸込具（吸口体）の種類を問わず照明するものがある。
【０００５】
また、実開昭６１−２０１６５１号公報の電気掃除機では、隙間など狭い場所を掃除するための隙間用ノズルに照明用の発光部（照明ランプ）を設け、かつノズルの吸込口先端が床面に接触するのと応動して発光部の電気回路を閉じるスイッチを備えたものが提案されている。
【０００６】
【特許文献１】特開平５―２４５０８４号
【特許文献２】実公平５―３４６２５号
【特許文献３】実開昭６１−２０１６５１号公報
【発明の開示】
【発明が解決しようとする課題】
【０００７】
従来提案されている照明機能付き電気掃除機は、手元操作部に照明専用の操作スイッチを設け、必要に応じてスイッチを手動でオン／オフしてランプを点灯、消灯させるか、或いは既述した実開昭６１−２０１６５１号公報のように、床面に吸口ノズルが接触するとランプが点灯するものである。
【０００８】
本発明は、上記したような従来の照明機能付き電気掃除機では提案されていない新規な照明機能付き電気掃除機を提案するもので、特に、照明を掃除の環境に応じて自動的に切り替え制御できる電気掃除機を提供することにある。
【課題を解決するための手段】
【０００９】
本発明は、上記課題を解決するために、基本的には、次のように構成される。
（１）すなわち、電動送風機と集塵部とを有する掃除機本体と、前記掃除機本体の集塵部にホース及び延長管を介して連通する吸口体とを備え、前記吸口体は前記延長管に自在継手を介して接続される電気掃除機において、
被掃除面を照射するために前記吸口体に設けられた照明ランプと、
前記延長管に対する前記吸口体の相対的な方向の変化に応じて前記照明ランプの点灯、消灯を自動に切り替え制御するスイッチ回路と、を備えたことを特徴とする。
【００１０】
上記発明の代表的な具体例は、次のように構成される。
（２）その一つは、前記延長管とホースとの間に、該延長管及び自在継手を介して吸口体を操作する手元操作部を設け、この手元操作部の捻りに応じて吸口体の向きが進行方向に対して変えられる掃除機において、前記照明ランプ及びスイッチ回路を次のように構成する。
【００１１】
すなわち、照明ランプは、吸口体の正面前方の被掃除面を照射する第１の照明ランプと吸口体の側方の被掃除面を照射する第２の照明ランプとよりなる。また、スイッチ回路は、吸口体の正面が該吸口体の移動方向に向いている時には、第１の照明ランプを点灯させ、吸口体の正面が該吸口体の移動方向に対して横を向いている時（換言すれば吸口体の側面が該吸口体の移動方向に向いている時）には、第２の照明ランプを点灯させる。
（３）もう一つは、前記（１）の構成において、前記延長管は自在継手を介して吸口体に対して上下方向に傾斜角度を変えることができ、スイッチ回路は、延長管の上下方向の傾斜角度が吸口体に対して略水平状態から所定の角度の範囲内にある時に照明ランプを点灯させる。
【００１２】
本発明は、基本的には、上記したように、延長管に対する吸口体の相対的な方向の変化に応じて、掃除機用の照明ランプを自動的に点灯、消灯させるものであるから、掃除の環境に応じて照明ランプを好ましい状態に自動的に切り替えることができる。
【００１３】
ここで、掃除の環境とは、例えば次のようなものがあり、本発明は、これらのうちの少なくとも一つ、或いは、その他の環境に対応できる。
【００１４】
例えば、（イ）ベッド、机等の家具の下の狭く暗い場所を掃除する場合や、（ロ）家具間の隙間、家具と壁との隙間などの暗く狭い場所を掃除する場合である。
【００１５】
電気掃除機の手元操作部から延びる延長管と、それと自在継手を介して接続される吸口体とは、掃除環境に応じて両者の相対的向きが変化することが多々ある。例えば前者（イ）の場合には、吸口体に対して延長管を通常よりも寝かせて（床面と延長管の交わる角度を小さくする）掃除が行なわれる。後者（ロ）の場合には、吸口体を移動方向に対して横向きにして（延長管と吸口体とをできるだけ平行に近い状態にする）、狭いスペースに吸口体が入れるようにして、掃除が行なわれる。
【００１６】
上記（イ）の場合に照明ランプを点灯させたい場合には、上記（３）の構成を採用して、延長管が吸口体の水平方向（床面）に対して所定角度αよりも小さくなったときに照明ランプを点灯させれば、必要な時だけ照明ランプを点灯させて電力消費量を抑制することができる。
【００１７】
また、ベッドの下などのほかに、（ロ）の場合のように狭い隙間を掃除機で掃除する場合には、上記（２）の構成を採用すれば対応可能である。すなわち、スイッチ切り替えにより、ベッドの下を掃除する場合は、前記第１の照明ランプを点灯させ、狭い隙間を掃除機で掃除する場合には、前記第２の照明ランプを点灯させる。このようにすれば、種々の掃除環境に応じた好適な照明により掃除を可能にする。
【発明の効果】
【００１８】
本発明によれば、掃除機の照明を、掃除の環境に応じて自動的に好適な状態に切り替え制御できる。
【発明を実施するための最良の形態】
【００１９】
以下、本発明に係る実施例を添付の図面を用いて説明する。
（実施例１）
本発明の第１実施例に係る電気掃除機の吸口体の構成を図１及び図２を用いて説明する。
【００２０】
図１は本実施例に係る吸口体２０６と自在継手１０との上面図であり、図２は吸口体２０６の分解斜視図である。なお、図３には、吸口体２０６を有する電気掃除機の全体図が示されている。
【００２１】
本実施例では、使用者から見て、使用者が掃除機の手元操作部２０３（図３）を普通に握って吸口体２０６を押す方向を前側(前方)、吸口体２０６を使用者側へ引き寄せる方向を後側(後方)と定義する。また、回転清掃体１０４の回転軸に沿う方向を吸口体の左右方向と呼ぶ。
【００２２】
吸口体２０６のケーシングは、上ケース１００と下ケース１０１とにより形成される。
【００２３】
自在継手１０は、吸口体ケーシングの背部に設けられ、第１の継手管１０２と第２の継手管１０３とにより構成される。吸口体２０６は、延長管２０５（図３）に自在継手１０を介して接続される。第１及び第２の継手管１０２、１０３には、吸口体２０６と延長管２０５とを連通するための吸気通路が形成されている。図３に示すように、吸口体２０６と掃除機本体２０１の集塵部（図示省略）とは、自在継手１０、延長管２０５、及びホース２０２を介して連通する。自在継手１０のうち、第１の継手管１０２は、吸口体２０６に対して上下方向に回動可能であり、第２の継手管１０３は、第１の継手管１０２及び吸口体２０６に対して左右方向に回動可能な連結構造を有している。
【００２４】
吸口体上ケース１００には、吸口体２０６の正面前方を照射するための第１の照明ランプ１１２と、吸口体２０６の左右側方を照射するための第２の照明ランプ１１３、１１４とが配置されている。これらの照明ランプは、例えば発光ダイオード（ＬＥＤ）が使用される。
【００２５】
図２に示すように、吸口体２０６は、上ケース１００、下ケース１０１、回転清掃体１０４、回転清掃体１０４を駆動するための電動機１０５、吸口体２０６を持ち上げたときに自動的に回転清掃体１０４を回転停止するための安全スイッチ１０７、電動機側のプーリ１０８、減速プーリを構成する大プーリ１０９、減速プーリを構成する小プーリ１１０、大プーリ１０９と小プーリ１１０を連結するシャフト１１１を備える。回転清掃体１０４、電動機１０５、安全スイッチ１０７及びプーリ１０８−１１０は、吸口体２０６のケーシングに内装される
電動機１０５によって発生された駆動力は、大プーリ１０９、小プーリ１１０、シャフト１１１を介して回転清掃体１０４の回転軸に伝達される。
【００２６】
図３に示す電気掃除機本体２０１は、吸口体２０６が集塵するのに必要な吸い込み風を発生させる電動送風機（図示せず）と、塵埃を集塵する集塵室（図示せず）とを内装している。フレキシブルなホース２０２は電気掃除機本体２０１に接続される。延長管２０５は、自在継手１０を介して吸口体２０６と接続され、延長管２０５とホース２０２との間に手元操作部となるハンドルグリップ２０３が介在している。ハンドルグリップ２０３は、延長管２０５とホース２０２との間を連通する吸気通路（図示せず）を有する。
【００２７】
ハンドルグリップ２０３には、電気掃除機本体２０１や吸口体２０６に設けた電気部品を制御するための手元スイッチ（操作スイッチ）２０４が設けられている。ホース２０２とハンドルグリップ２０３及び延長管２０５には、吸口体２０６に電気を供給する給電線（図示せず）が内装されている。
【００２８】
吸口体２０６は、吸口体に対して上下方向に回動可能な第１の継手管１０２と、第１の継手管１０２に対して左右方向に回動可能な第２の継手管１０３を介して延長管２０５に接続しているため、ハンドルグリップ２０３のひねりに連動して、吸口体２０６が被掃除面上で向きを変えることができる。具体的には、ハンドルグリップ２０３を９０度ひねると、吸口体２０６を延長官２０５に対して９０度回転させることができる（図５（ｂ）参照）。この状態で、ハンドルグリップ２０３を前後方向に移動させる動作をすると、吸口体２０６のおおよそ短手方向幅の隙間まで掃除することができる。
【００２９】
次に本実施例の動作を説明する。掃除機使用者がハンドルグリップ２０３に設置されたスイッチ操作部２０４を操作すると、操作されたスイッチに従った動作モードで電気掃除機本体２０１内の電動送風機（図示せず）が運転する。電動送風機によって発生した吸引力は、ホース２０２、延長管２０５を通って吸口体２０６に到達する。さらに、手元スイッチ２０４が回転清掃体１０４を駆動するモードを選択している場合には、図４に示すように、そのモードスイッチ２０４ａが入り、電源２０１がホース２０２および延長管２０５に設けられた電源線及び吸口体２０６に設けた回路基板１０６を介して電動機１０５に供給され、電動機１０５が駆動する。
【００３０】
電動機１０５の駆動力によりプーリ及びベルトを介して回転清掃体１０４が回転する。これにより、回転清掃体１０４に設けた清掃部材（刷毛やブレード）によって被掃除面からごみや塵埃を掻き出し、これらのごみ、塵埃が吸口体を介して吸い込まれる。
【００３１】
ここで、スイッチ操作部２０４の照明用ボタン２０４ｂ（図４）を押すと、照明ランプ（１１２−１１４）用のスイッチ駆動手段（スイッチ駆動回路）４０２が回転清掃体１０４用のスイッチ２０４aの入り切りに同期して作動し、このスイッチ駆動手段４０２と、吸口体２０６の移動時の向きを検出する方向検知手段４０１との協働により、照明用ランプ１１２と照明ランプ１１３及び１１４との選択的な点灯の入り切りが行なわれる。
【００３２】
図４に示すように、吸口体２０６の移動時の向きを検知する方向検知手段４０１によって、吸口体２０６のフロント２０６Ｆが図５（a）に示すように移動方向の正面前方を向いて、吸口体２０６が進退動作するときには、スイッチ駆動手段４０２により、スイッチＳＷ１がオンし（スイッチＳＷ２はオフ）、それにより第１の照明ランプ１１２が点灯し（第２の照明ランプ１１３、１１４は消灯し）、照明ランプ１１２が吸口体２０６の正面前方の被掃除面を照射する。
【００３３】
一方、図５（ｂ）に示すように、吸口体２０６のフロント２０６Ｆが吸口体２０６の移動方向に対して横に向いて、吸口体２０２が進退動作するときには、スイッチ駆動手段４０２によりスイッチＳＷ２がオンし（スイッチＳＷ１はオフ）、それにより第２の照明ランプ１１３、１１４が点灯し（照明ランプ１１２は消灯）する。それにより、照明ランプ１１３、１１４が吸口体２０６の回転清掃体の左右側方の被掃除面を照射する。
【００３４】
また、本実施例では、スイッチ駆動手段４０２の後に、遅延手段（遅延回路）４０３を設ける。これにより、清掃中に吸口体２０６の向きがめまぐるしく変化しても、照明ランプ１１２と照明ランプ１１３及び１１４とがめまぐるしく切り替わるのを防止できる。
【００３５】
図６に方向検知手段４０１の一例を示す。図６は、図１のＡ−Ａ線断面図である。吸口体２０６の底部に自由に方向が変えられる車輪（キャスター）１２５が取り付けられている。車輪１２５を保持する支持体１２５aは、車輪１２５と一体に方向が自在（３６０度の範囲で回転自在）に変えられる。支持体１２５aの上方には、車輪１２５及び支持体１２５ａの動きと同期して３６０度回転可能な方向検知板１２６が設けられている。方向検知板１２６に対向して、吸口体２０６の移動時の向きを検知するセンサ１２７及び１２８が９０度間隔で配置されている。図６（b）〜（ｄ）には、吸口体２０６の移動方向Ｍに対して吸口体２０６のとり得る向き（ここでは、吸口体２０６の向きを吸口体のフロントのライン２０６Ｆにより示している）の典型例と、それに対応する方向検知板１２６とセンサ部１２７及び１２８との位置関係を示すものである。
【００３６】
図６（b）は、吸口体２０６の向きが図６（a）及び図５（a）にある時の方向検知手段４０１の状態を示している。すなわち、吸口体２０６は、その移動方向に対してフロント２０６Ｆが正面を向いている。この時は、センサ部１２７に方向検知板１２６が位置し、その位置検出信号がスイッチ駆動手段４０２（図４）に送られる。この場合には、スイッチ駆動手段４０２は、スイッチＳＷ１をオンとし、照明ランプ１１２が点灯する。
【００３７】
図６（ｃ）は、ハンドルグリップ２０３を、図６（a）及び図５（a）の状態からほぼ９０度右側にひねることで吸口体２０６が９０度回転して、吸口体２０６がその進行方向Ｍに対して右横向きになった状態であり、図５（ｂ）の状態に相当する。この場合には、センサ部１２８に方向検知板１２６が位置し、その位置検出信号がスイッチ駆動手段４０２に信号が送られる。この場合には、スイッチ駆動手段４０２は、スイッチＳＷ２をオンとし、照明ランプ１１３、１１４が照射する。
【００３８】
図６（ｄ）は、ハンドルグリップ２０３を、図６（a）及び図５（a）の状態からほぼ９０度左側にひねることで吸口体２０６が９０度回転して、吸口体２０６がその進行方向Ｍに対して左横向きになった状態である。この場合にも、センサ部１２８に方向検知板１２６が位置し、その位置検出信号がスイッチ駆動手段４０２に信号が送られるので、上記図６（ｃ）同様に、スイッチＳＷ２がオンとなり、照明ランプ１１３、１１４が照射する。
【００３９】
ここで、図５により掃除機の使用者の動作例を説明する。図５の（a）はハンドルグリップ２０３に設置されたスイッチ操作部２０４を操作して所望の掃除モードを選択し、その後に吸口体２０６のフロント２０６Ｆを移動方向前方に向けて吸口体を前後方向に操作している状態である。この状態を、既述したように、方向検知手段４０１によって検知して、照明ランプ１１２が点灯して吸口体の移動方向の正面前方を照射している。
【００４０】
図５の（b）は、ハンドルグリップ２０３をひねり、吸口体２０６を９０度回転させ、吸口体２０６を進行方向に対して横に向けた状態である。この状態を方向検知手段４０１によって検知して、照明ランプ１１３、１１４が点灯して吸口体２０６の移動方向の前後方向を照射している。
【００４１】
上記の状態を図７のタイムチャートに示す。吸口体２０６を図５（a）の状態で操作している場合には、前進時と後退時に車輪１２５が反転動作し方向検知板１２６が断続的に図６（ｂ）の状態になり、図７の（イ）のようにセンサ１２７の繰り返しのオンオフ信号が発生する。このようなセンサ１２７（方向検知手段４０１）からの信号がスイッチ駆動手段４０２に入力されると、図４に示すように遅延手段４０３を介してスイッチＳＷ１がオンし、ＬＥＤ１（照明ランプ１１２）が出力（発光）し、吸口体が移動している間は出力し続ける。吸口体２０６が停止するとは遅延回路が設けられているため、ある一定時間過ぎた後に出力が切れるようになっている。
【００４２】
また、吸口体２０６を図５（ｂ）の状態で操作している場合にも前進時と後退時に車輪１２５が反転動作し、この場合には、方向検知板１２６が断続的に図６（ｃ）又は（ｄ）の状態になり、図７の（ロ）のようにセンサ１２８の繰り返しのオンオフ信号が発生する。このようなセンサ１２８（方向検知手段４０１）からの信号がスイッチ駆動手段４０２に入力されると、遅延手段４０３を介してスイッチＳＷ２がオンし、ＬＥＤ２（照明ランプ１１３、１１４）が出力（発光）し、吸口体が移動している間は出力し続ける。この場合にも遅延手段４０３が上記同様の作用を行なう。
【００４３】
本実施例によれば、掃除中の吸口体２０６の向きに応じて、複数の照明ランプを自動的に切り替えて被掃除面を有効に照明することができるので、机の下や家具の隙間等の暗い場所のゴミや埃を発見しやすくなる。さらに、複数の照明ランプを全部点灯するのではなく、掃除環境に応じて必要な照明ランプを択一的に点灯するので、照明ランプの電気消費量を抑えることができる。
【００４４】
また、雨天時や曇天時など部屋の明かりを点灯している場合であっても、部屋の明かりが届かない場所がある。このような時に、吸口体の姿勢の変化に応じて掃除の進行方向を掃除機自身で照明するので、清掃場所の使用条件の範囲が広がり、掃除機の機能も最大限に発揮することができる。
（実施例２）
本発明の第２実施例に係る電気掃除機の吸口体２０６の構成を、図８及び図１１を用いて説明する。本実施例において、掃除機本来の主たる構成は第１実施例の構成と同様であり、さらに、照明ランプ１１２及び１１３、１１４を有するが、その消灯、点灯制御の構成は、既述した第１の実施例の構成と異なる。図中、第１実施例と同一符号は、第１実施例と同一或いは共通する要素を示す。図８に本実施例に係る吸口体２０６の側面図を示す。図９は図１のＡ−Ａ線位置に相当する縦断面図である。
【００４５】
本実施例では、既述した第１実施例の方向検知手段４０１に代えて、次の二つの機能を付加した。
【００４６】
そのうちの一つの機能は、（ａ）吸口体２０６に対する継手管１０３（ひいては延長管２０５）の上下方向の角度に応じて照明ランプ１１２が点灯、消灯制御される機能である。もう一つの機能は、（ｂ）吸口体２０６に対する継手管１０３（ひいては延長管２０５）の左右方向の角度に応じて照明ランプ１１３及び１１４が点灯、消灯制御される機能である。
【００４７】
これらの機能のうち、まず前者（ａ）について説明する。図５（ａ）に示すように、吸口体２０６のフロント２０６Ｆが吸口体の移動方向に向いて吸口体２０６が進退動作する場合には、第１の照明ランプ１１２が、以下の条件で点灯制御される。すなわち、吸口体２０６に対して継手管１０２、１０３が上下方向に略水平状態から所定の角度αの範囲にある時に、照明ランプ１１２が点灯する。一方、継手管１０２、１０３ひいては延長管２０５が角度αを超えて垂直状態になるまでの範囲では、照明ランプ１１２が消灯する構造になっている。
【００４８】
このときの回路の状態を図１０により説明すると、回転清掃体を駆動するためのモードスイッチ２０４ａがオンになるほかに、照明ランプ１１２と直列に接続されたスイッチＳＷ１´が上記角度αの範囲内にあるときにオンになる。
【００４９】
このスイッチＳＷ１´の具体的構造例を図９に示す。図９は、図１のＡ−Ａ線に相当する位置の断面図である。本実施例のスイッチＳＷ１´は、継手管１０２の回動部１０２ｂの一部に設けた凸部１０２ａと、回動部１０２ｂと対向配置されたスイッチ部（例えばマイクロスイッチ）１１５とにより構成される。
【００５０】
このようなスイッチＳＷ１´は、継手管１０２（ひいては継手管１０３、延長管２０５）が、吸口体２０６に対して水平状態から所定の角度αまでの範囲では、凸部１０２ａがスイッチ部１１５のレバーを押すことによってスイッチオンとなり、照明ランプ１１２が点灯し、それ以外の状態ではスイッチ部からレバーが離れ、消灯する構造である。
【００５１】
次に後者（ｂ）の場合の機能について説明する。図５（ｂ）に示すように、吸口体２０６のフロント２０６Ｆが吸口体の移動方向に対し横を向いて吸口体２０６が進退動作する場合には、吸口体２０６の長手方向両側（長手方向の左右）に設けた照明ランプ１１３、１１４が、以下の条件で点灯制御される。すなわち、継手管１０３が継手管１０２に対して図１１（ｂ）に示すように所定の角度βを超えたときに、図１０に示すスイッチＳＷ２´がオンになって第２の照明用ランプ１１３、１１４が点灯する。このスイッチＳＷ２´の具体的構成例を図１１を用いて説明する。
【００５２】
図１１に本実施例による吸口体２０６から継手部だけを取り出した平面図を示す。図１１は、自在継手である第１の継手管１０２と、第２の継手管１０３を、両者を覆うカバーを外して示している。
【００５３】
継手管１０３が、継手管１０２（ひいては吸口体２０６）に対して左右方向に回動し、継手管１０３が継手管１０２ひいては延長管２０５に対して所定の角度βを超えると（すなわち、図５（ｂ）に示すように延長管２０５と吸口体２０６とが略平行になる範囲において）、照明ランプ１１３、１１４が点灯し、角度β内の範囲では消灯する構造になっている。
【００５４】
本実施例において、このような照明ランプ１１３および１１４の点灯／消灯制御を行なうスイッチＳＷ２´は、継手管１０３の回動部の端部２箇所に設けたスライダ（例えば円弧状突起のスライダ）１０３ａ、１０３ｂと、この突起のスライド動作を確保するために継手管１０２に設けた溝部１１７と、この溝部１１７の軌道の一部に設けられたスイッチ部１１６とにより構成される。
【００５５】
スイッチ部１１６は、ばね（図示していないが）により、対向するスイッチ接点と離れる方向に付勢されている。
【００５６】
継手管１０３が継手管１０２ひいては吸口体２０６に対して左右方向のどちらかに回動し、吸口体２０６の長手方向の軸線に対して垂直状態から所定の回動範囲（角度β）を超えると、継手管１０３のスライダ１０３ａ、あるいは１０３ｂがスイッチ部１１６の先端を押すことによって、接点１１６´が導通して、照明ランプ１１３、１１４が点灯する。それ以外の状態では、スライダ１０３ａ、１０３ｂがスイッチ部から離れるので点灯しない。
【００５７】
一般に机やベッドの下、物陰、物と物の間の影になっている場所は日中でも暗いことが多く、ごみや埃の発見がわかりにくい。このような場所で、机やベッドの下を掃除する際には、延長管２０５を床面に略水平状態にする場合が多く、また、物の陰、物と物の間を掃除する際には、吸口体の短手側を進行方向として用いる場合（すなわち、吸口体の移動方向に対して吸口体のフロント２０６Ｆが横を向いた状態）が多い。
【００５８】
本実施例によれば、このような机やベッドの下を掃除する場合には、照明ランプ１２が点灯し、物陰、物と物との間を掃除する場合には、照明ランプ１１３、１１４が点灯して、床面を照らすことになるので、暗い場所のゴミや埃を発見しやすくなる。
【００５９】
本実施例によれば、掃除機に搭載した照明について、必要なときだけ照明ランプが自動的に点灯するので、電気代の節約を図ることができ、しかも、照明器具の寿命の低下を防止できる。また、照明用のスイッチボタンを押すなどして吸口操作の動作が一端停止することなく作業が進むので掃除効率が上がる。
【００６０】
なお、本実施例では、所定の角度αやβを超えると照明が点灯や消灯をするわけであるが、このような回路を図１２に示すような遅延手段（遅延回路）４０３を用いた回路によって構成してもよい。
【００６１】
図１２の回路では、上下角検知手段４１０は、吸口体２０６に対する継手管１０３（ひいては延長管２０５）の上下の傾き角α（図８）を検出するものであり、原理的には、図９に示す凸部１０２ａとマイクロスイッチ１１５を使用すればよい。また、左右角検知手段４１１は、吸口体２０６（ひいては継手管１０２）に対する継手管１０３の左右方向の傾き角β（図１１）を検出するものであり、原理的には、図１１に示すスイッチ１１６を使用すればよい。
【００６２】
図１２の回路では、上下角検知手段４１０（スイッチ１１５）が閉じると、スイッチ駆動手段４０２及び遅延手段４０３を介して照明用スイッチＳＷ１"がオンし、照明ランプ１１２が点灯する。また、左右角検知手段４１１（スイッチ１１６）が閉じると、スイッチ手段４０２及び遅延手段４０３を介して照明用スイッチＳＷ２"がオンし、照明ランプ１１３、１１４が点灯する。
【００６３】
このようにすれば、所定の角度のα、βの前後位置で掃除を行なっていると頻繁に照明が点いたり消えたりして煩わしくなる心配がある。そこで、所定の角度αを超えたり、所定の角度β以下になってもしばらくの間点灯するように遅延手段（遅延回路）４０３を加えることでそれらを解消することができる。
（実施例３）
図１３は、本発明の第３実施例に係る電気掃除機の使用例を示す図であり、吸口体付近を示している。本実施例の電気掃除機の構成も、基本的には、第１及び第２実施例と同様の構成を示すものであり、ここでは、これらの実施例との相違点のみ説明する。
【００６４】
図１３では、吸口体２１６を、狭い壁と壁の間に入れて前後操作している掃除の状態を示す図であり、図５（ｂ）同様に進行方向に対して吸口体２１６が横を向いている。
【００６５】
既述した実施例の図５（ｂ）では、照明ランプ１１３及び１１４の両方が点灯し、進行方向の前後方向を照射している。これに対し、本実施例では、吸口体２１６ａが前進及び後退する場合には、前進する側の照明ランプ（１１３又は１１４）のみが択一的に点灯するように構成している。
【００６６】
掃除をする場合には、通常吸口体の進行方向の前方側のごみを見つけて吸い取るわけであり、吸口体の後方側を照射しなくてもかまわない。これにより、より一層の電気代の軽減と照明部材の寿命低下を防止することができる。
【００６７】
この場合の照明用スイッチ回路は、図１４及び図１５のように構成される。図１４は回路図、図１５は図１１同様にカバーを外した自在継手部を示す平面図である。
【００６８】
図１５における照明用スイッチの構成は、継手管１０２に対する継手管１０３の回動範囲βの両端にスイッチ１１６ａ及び１１６ｂを配置したものである。スライダ１１３は、継手管１０３が図１５（ａ）に示すように回動範囲βの中央位置にあるとき（吸口体２０６のフロント２０６Ｆが移動方向に向いている図５（ａ）の状態）、両スイッチ１１６ａ，１１６ｂは接点１１６´から離れており、左右配置の第２の照明ランプ１１３，１１４は消灯状態にある（図１４参照）。なお、図１４の第１の照明ランプ１１２のスイッチＳＷ１´は図１０同様である。
【００６９】
吸口体２０６のフロント２０６Ｆが吸口体の移動方向に対して左横向き或いは右横向きになっている時(図５（ｂ）は右横向きを示している)には、その向きに応じてスライダ１１６が、図１５（ｂ）に示すように、スイッチ１１６ｂ(スイッチＳＷ２ｂ´)或いはスイッチ１１６ａ(スイッチＳＷ２ａ´)を閉じる位置にあるので、その向きに応じて、ランプ１１３、１１４のうち手元操作部から遠ざかる方のランプを択一的に点灯させることができる。
（実施例４）
図１６に第４実施例による吸口体２２６の斜視図を示す。電気掃除機の基本構成は、照明部を除き既述した実施例と同様である。本実施例において、４０５は照明部材であり上ケース１００の中央部一箇所に複数個のランプ（ＬＥＤ）を集約したものである、内部に、照射角度を前・左右・上下方向に各々変えたＬＥＤを配置している。これにより、配線の複雑さが軽減でき、部品点数の削減が図れ、組み立て性も容易になる。
【００７０】
また、上ケース１００には、上面開口部が形成されており、４０６はこの上面開口部を塞ぐ窓板である。この窓板４０６は半透明の材料で構成されている。
【００７１】
したがって、照明部材４０５が点灯することにより、吸口体２２６を上面から見て回転清掃体１０４の状態が目視できるようになり、動作の確認ができる。
【００７２】
あるいは、照明部材４０５の一部を吸口体２２６の回転清掃体室に照射させることにより、同様の効果が得られる。
【００７３】
更には、前記照明部材４０５の一部を吸口体２２６の回転清掃体室に紫外線ＬＥＤで照射することにより、回転清掃体１０４及びその周囲の抗菌作用を促すことができる。
【産業上の利用可能性】
【００７４】
本発明は、床移動型の掃除機だけでなく、アップランプ式やスティック式の掃除機にも適用できる。モータ駆動方式の吸口だけでなく、エアー駆動方式にも適用できる。
【図面の簡単な説明】
【００７５】
【図１】本発明の第１実施例に係る吸口体と自在継手との上面図。
【図２】上記実施例の吸口体の分解斜視図。
【図３】上記実施例による電気掃除機の外観図。
【図４】上記実施例の回路図。
【図５】本実施例の掃除機の操作状態図。
【図６】本実施例の掃除機のＡ−Ａ線断面図及び方向検知器の動作説明図。
【図７】本実施例の照明スイッチ回路のタイムチャート。
【図８】本発明による第２実施例を示す吸口体の側面図。
【図９】第２実施例の吸口体の部分断面図。
【図１０】第２実施例の回路図。
【図１１】第２実施例の吸口体の自在継手部のカバーを外した状態の平面図。
【図１２】第２実施例の他の例の回路図。
【図１３】本発明の第３実施例に係る電気掃除機の使用例を示す図。
【図１４】第３実施例の回路図。
【図１５】第３実施例の吸口体の自在継手部のカバーを外した状態の平面図。
【図１６】本発明の第４実施例の電気掃除機の吸口体を示す斜視図。
【符号の説明】
【００７６】
１０…自在継手、１００…上ケース、１０４…回転清掃体、１０５…電動機、１０２…第１の継手管、１０３…第２の継手管、１１２…第１の照明ランプ、１１３、１１４…第２の照明ランプ、２０４…手元スイッチ、２０５…延長管、２０６…吸口体、４０１…方向検知部、４０５…照明部材、４０６…窓板、ＳＷ１，ＳＷ２…スイッチ。
【図１】
2008212195.tif 000003
【図２】
2008212195.tif 000004
【図３】
2008212195.tif 000005
【図４】
2008212195.tif 000006
【図５】
2008212195.tif 000007
【図６】
2008212195.tif 000008
【図７】
2008212195.tif 000009
【図８】
2008212195.tif 000010
【図９】
2008212195.tif 000011
【図１０】
2008212195.tif 000012
【図１１】
2008212195.tif 000013
【図１２】
2008212195.tif 000014
【図１３】
2008212195.tif 000015
【図１４】
2008212195.tif 000016
【図１５】
2008212195.tif 000017
【図１６】
2008212195.tif 000018